(57)【要約】【課題】引越し、部屋の模様替え等により移動した表示装置に対して、容易に正しく外部機器を接続することができる。【解決手段】外部機器接続状況確認装置は、電源をオンした第一タイミングよりも後の第一接続状態と、第一タイミングの前に電源をオフした第二タイミングよりも前の第二接続状態とを比較する比較部２と、第一接続状態が第二接続状態と異なるときに、第一接続状態を第二接続状態に戻す情報を提示する接続復元部３とを備える。【選択図】図２
2013118600.tif 000002
【特許請求の範囲】
【請求項１】
電源をオンした第一タイミングよりも後の外部機器接続端子の接続状態を表す第一接続状態と、前記第一タイミングの前に前記電源をオフした第二タイミングよりも前の前記外部機器接続端子の接続状態を表す第二接続状態とを比較する比較手段と、
前記第一接続状態が前記第二接続状態と異なるときに、前記第一接続状態を前記第二接続状態に戻すための情報を提示する情報提示手段とを備えたことを特徴とする外部機器接続状況確認装置。
【請求項２】
前記情報提示手段は、前記第一タイミングが前記第二タイミングから所定の時間以上経過したときに、前記第一接続状態を前記第二接続状態に戻すための情報を提示する請求項１記載の外部機器接続状況確認装置。
【請求項３】
前記情報提示手段は、前記第二接続状態が前記外部機器接続端子に外部機器が接続されている状態であり、前記第一接続状態が前記外部機器接続端子に外部機器が接続されていない状態であるときに、前記第一接続状態を前記第二接続状態に戻すための情報を提示する請求項１記載の外部機器接続状況確認装置。
【請求項４】
前記比較手段は、前記電源をオンした直後に前記第一接続状態と前記第二接続状態とを比較する請求項１記載の外部機器接続状況確認装置。
【請求項５】
前記外部機器接続端子への外部機器の接続状態を時系列的に記録するための外部機器接続データベースと、
前記外部機器接続端子への前記外部機器の接続状態を検知して前記外部機器接続データベースに記録する接続検知手段とをさらに備える請求項１記載の外部機器接続状況確認装置。
【請求項６】
請求項１記載の外部機器接続状況確認装置を備えたことを特徴とする表示装置。
【発明の詳細な説明】
【技術分野】
【０００１】
本発明は、外部機器接続端子と外部機器との接続を確認するための外部機器接続状況確認装置、及び表示装置に関する。
【背景技術】
【０００２】
外部機器接続端子に接続された外部機器が変更されると、外部機器のラベル表示の登録の変更を自動的にユーザに促すように構成された表示装置が知られている（特許文献１）。この構成によれば、外部機器の接続状態が変更されると自動的にラベル表示の登録の変更が促されるので、外部機器のラベル表示の登録の変更忘れが防止される。
【０００３】
また、表示装置にアナログ機器を外部接続した際に、外部接続したアナログ機器の接続状態を表示装置内に記録する技術が知られている（特許文献２）。この技術では、外部接続されたアナログ機器から機器ＩＤを表示装置が受信し、受信した機器ＩＤに基づいて表示装置が自動的に接続状況を更新し、常に最新の接続状況をユーザが確認することができる。さらに、現在の接続状況を画面に表示することにより、現在の接続状況を容易に確認することができる。この構成によれば、表示装置に外部接続されたアナログ機器の接続状況を自動的に更新することができるため、ユーザに手間がかからない。
【先行技術文献】
【特許文献】
【０００４】
【特許文献１】特開2008-17097号公報（2008年1月24日公開）
【特許文献２】特開2007-74560号公報（2007年3月22日公開）
【発明の概要】
【発明が解決しようとする課題】
【０００５】
しかしながら、特許文献１に開示された構成では、外部機器の接続状態を記憶する構成が設けられていないので、ＡＣ電源がオンの状態のときに接続状態を変更したときのみに効果を奏する。従って、ＡＣ電源をオフした状態で外部機器の接続状態を変更し、その後ＡＣ電源をオンした場合は、表示装置は、外部機器の接続状態の変更を検知することができないという問題がある。即ち、特許文献１の構成は、表示装置の使用時に外部機器の接続状態を変更した場合のユーザの利便性を向上させる技術であり、ＡＣ電源がオンの状態で使用することを前提に構成されている。
【０００６】
また、特許文献２に開示された構成では、外部接続されたアナログ機器から表示装置が受信する機器ＩＤは映像信号に重畳されている必要があるが、アナログ信号にはそのような機器ＩＤを規定する規格はないので、本技術を実現するためには、接続機器を含めたプロトコルから確定する必要があり、非現実的であるという問題がある。
【０００７】
引越し、部屋の模様替え等により、現在使用中の表示装置を移動する場合に、現在接続している外部接続機器（例えば、Blu-Ray（登録商標）レコーダのような光ディスクレコーダ、ビデオデッキ等）も併せて移動することがある。その場合、例えば、入力端子１には外部機器Ａを接続し、入力端子２には外部機器Ｂを接続するというように移動前後で同じ入力端子には同じ外部機器を接続することにより、移動前と同じ使い勝手を再現することができる。
【０００８】
しかしながら、近年の表示装置は外部入力端子が数多く実装されており、複数の外部機器を接続している場合、引越し、部屋の模様替え等による表示装置の移動前後で同一の接続状態を維持するためには、どの入力端子にどの外部機器を接続していたかをユーザが記憶しておかなければならず、使い勝手が悪いと言える。
【０００９】
また、移動のついでに新しい外部機器に変更したり、外部機器は変更しないが入力端子、接続ケーブルを変更する接続の見直しを実施する場合も考えられ、引越し、部屋の模様替え等により移動した表示装置に対する外部機器の接続をまちがえてしまうおそれが高いという問題がある。
【００１０】
本発明の目的は、引越し、部屋の模様替え等により移動した表示装置に対して、容易に正しく外部機器を接続することができる外部機器接続状況確認装置、及び表示装置を提供することにある。
【課題を解決するための手段】
【００１１】
上記の課題を解決するために、本発明に係る外部機器接続状況確認装置は、電源をオンした第一タイミングよりも後の外部機器接続端子の接続状態を表す第一接続状態と、前記第一タイミングの前に前記電源をオフした第二タイミングよりも前の前記外部機器接続端子の接続状態を表す第二接続状態とを比較する比較手段と、前記第一接続状態が前記第二接続状態と異なるときに、前記第一接続状態を前記第二接続状態に戻すための情報を提示する情報提示手段とを備えたことを特徴とする。
【００１２】
この特徴により、電源をオンした第一タイミングよりも後の外部機器接続端子の接続状態を表す第一接続状態と、第一タイミングの前に電源をオフした第二タイミングよりも前の外部機器接続端子の接続状態を表す第二接続状態とが異なるときに、第一接続状態を第二接続状態に戻すための情報が提示される。このため、例えば、引越し、部屋の模様替え等の原因により、外部機器との接続を一時的に外して表示装置を移動させた場合でも、移動後に電源をオンすると、第一接続状態を第二接続状態に戻すための情報に基づいて、元の接続状態を容易に復元することができる。従って、どの外部機器をどの外部機器接続端子に接続していたかを覚えていなくても、表示装置の移動後に、元の接続状態を容易に復元することができる。その結果、引越し、部屋の模様替え等により移動した表示装置に対して、容易に正しく外部機器を接続することができる。
【００１３】
本発明に係る外部機器接続状況確認装置では、前記情報提示手段は、前記第一タイミングが前記第二タイミングから所定の時間以上経過したときに、前記第一接続状態を前記第二接続状態に戻すための情報を提示することが好ましい。
【００１４】
上記構成により、前記第一タイミングが前記第二タイミングから所定の時間以上経過していたときに、引越し、部屋の模様替え等の原因により、外部機器との接続を一時的に外して表示装置を移動させたと判断して、第一接続状態を第二接続状態に戻すための情報を提示することができる。
【００１５】
本発明に係る外部機器接続状況確認装置では、前記情報提示手段は、前記第二接続状態が前記外部機器接続端子に外部機器が接続されている状態であり、前記第一接続状態が前記外部機器接続端子に外部機器が接続されていない状態であるときに、前記第一接続状態を前記第二接続状態に戻すための情報を提示することが好ましい。
【００１６】
上記構成により、外部機器接続端子に外部機器が接続されていない状態から、前記第一接続状態を前記第二接続状態に戻すための情報に基づいて、元の接続状態を容易に復元することができる。
【００１７】
本発明に係る外部機器接続状況確認装置では、前記比較手段は、前記電源をオンした直後に前記第一接続状態と前記第二接続状態とを比較することが好ましい。
【００１８】
上記構成により、前記電源をオンした後、直ちに元の接続状態を容易に復元することができる。
【００１９】
本発明に係る外部機器接続状況確認装置では、前記外部機器接続端子への外部機器の接続状態を時系列的に記録するための外部機器接続データベースと、前記外部機器接続端子への前記外部機器の接続状態を検知して前記外部機器接続データベースに記録する接続検知手段とをさらに備えることが好ましい。
【００２０】
上記構成により、簡単な構成で、表示装置の移動後に、元の接続状態を容易に復元することができる。
【００２１】
本発明に係る表示装置は、本発明に係る外部機器接続状況確認装置を備えることを特徴とする。
【発明の効果】
【００２２】
本発明に係る外部機器接続状況確認装置は、電源をオンした第一タイミングよりも後の外部機器接続端子の接続状態を表す第一接続状態と、前記第一タイミングの前に前記電源をオフした第二タイミングよりも前の前記外部機器接続端子の接続状態を表す第二接続状態とを比較する比較手段と、前記第一接続状態が前記第二接続状態と異なるときに、前記第一接続状態を前記第二接続状態に戻すための情報を提示する情報提示手段とを備えたので、引越し、部屋の模様替え等により移動した表示装置に対して、容易に正しく外部機器を接続することができる。
【図面の簡単な説明】
【００２３】
【図１】実施の形態に係る表示装置の概略構成を示す図である。
【図２】上記表示装置の具体構成を示すブロック図である。
【図３】上記表示装置の概略動作を説明するためのフローチャートである。
【図４】図３に示すテレビ移動判定工程の詳細処理を示すフローチャートである。
【図５】図３に示すテレビ移動判定工程の他の詳細処理を示すフローチャートである。
【図６】図４に示すステップＳ９及びＳ１０、図５に示すステップＳ１３の詳細処理を示すフローチャートである。
【図７】図３に示す接続検知工程の詳細処理を示すフローチャートである。
【図８】図７に示すデジタル接続更新処理の詳細処理を示すフローチャートである。
【図９】図７に示すアナログ接続更新処理の詳細処理を示すフローチャートである。
【図１０】上記表示装置に設けられた外部機器接続データベースに記録されたデータベース情報を説明するための図である。
【図１１】上記表示装置起動時において接続状態が変更されたが、元の接続状態に戻す場合の画面遷移の一例を説明するためのフローチャートである。
【図１２】上記表示装置起動時において接続状態が変更されたが、元の接続状態に戻す場合の画面遷移の一例を説明するためのフローチャートである。
【図１３】上記表示装置起動時において接続状態が変更されたが、元の接続状態に戻す場合の画面遷移の一例を説明するためのフローチャートである。
【図１４】上記表示装置起動時において接続状態が変更され、新しい接続状態に変更する場合の画面遷移の一例を説明するためのフローチャートである。
【図１５】上記表示装置起動時において接続状態が変更され、新しい接続状態に変更する場合の画面遷移の一例を説明するためのフローチャートである。
【図１６】上記表示装置起動時において接続状態が変更され、新しい接続状態に変更する場合の画面遷移の一例を説明するためのフローチャートである。
【発明を実施するための形態】
【００２４】
本発明の表示装置に関する実施の一形態について図１〜図１６に基づいて説明すれば以下のとおりである。
【００２５】
（表示装置１の構成）
図１は、実施の形態に係る表示装置１の概略構成を示す図である。図２は、表示装置１の具体構成を示すブロック図である。
【００２６】
表示装置１は、例えば、光ディスクレコーダ等の外部接続機器１３ａと、ビデオデッキ等の外部接続機器１３ｂに接続されている。
【００２７】
表示装置１は、外部機器を接続するためのアナログ入力端子１４ａ及びデジタル入力端子１４ｂを備えている。アナログ入力端子１４ａは、外部機器接続端子４ａとＡＶスイッチ１７とを有している。外部機器接続端子４ａは、Ｄ端子１５ａとコンポジット端子１５ｂとＳ端子１５ｃとを含んでいる。
【００２８】
デジタル入力端子１４ｂは、外部機器接続端子４ｂとデジタルスイッチ１８とＵＳＢ（Universal Serial Bus）ハブ１９とを有している。外部機器接続端子４ｂは、デジタル端子１６ａとＵＳＢ端子１６ｂとを含んでいる。デジタル端子１６ａは、例えば、ＨＤＭＩ（登録商標）端子である。
【００２９】
表示装置１には、制御部２３が設けられている。制御部２３は、ＡＶスイッチ１７を介して外部機器接続端子４ａと接続されており、デジタルスイッチ１８を介してデジタル端子１６ａと接続されており、ＵＳＢハブ１９を介してＵＳＢ端子１６ｂと接続されている。
【００３０】
制御部２３は、外部機器接続データベース８、ＤＤＲ２０、及びリモコン２２からの光信号を受光するリモコン受光部２１と接続されている。外部機器接続データベース８は、外部機器接続端子４ａ・４ｂへの外部接続機器の接続状態を時系列的に記録する。
【００３１】
制御部２３には、テレビ移動判定部５が設けられている。テレビ移動判定部５は、比較部２と接続復元部３とを有している。比較部２は、接続確認部６と時刻取得部７とを有している。
【００３２】
比較部２は、表示装置１の電源をオンした第一タイミングよりも後の外部機器接続端子４ａ・４ｂの接続状態を表す第一接続状態と、この第一タイミングの前に電源をオフした第二タイミングよりも前の外部機器接続端子４ａ・４ｂの接続状態を表す第二接続状態とを比較する。比較部２は、電源をオンした直後に第一接続状態と第二接続状態とを比較してもよい。
【００３３】
接続復元部３は、第一接続状態が第二接続状態と異なるときに、第一接続状態を第二接続状態に戻すための情報を提示する。接続復元部３は、第一タイミングが第二タイミングから所定の時間以上経過したときに、第一接続状態を前記第二接続状態に戻すための情報を提示してもよい。接続復元部３は、第二接続状態が外部機器接続端子４ａ・４ｂに外部機器が接続されている状態であり、第一接続状態が外部機器接続端子４ａ・４ｂに外部機器が接続されていない状態であるときに、第一接続状態を第二接続状態に戻すための情報を提示してもよい。
【００３４】
制御部２３は、接続検知部９と時刻記録部１０とを有している。接続検知部９は、外部機器接続端子４ａ・４ｂへの外部接続機器の接続状態を検知して外部機器接続データベース８に記録する。接続検知部９には、デジタル接続更新部１１とアナログ接続更新部１２とが設けられている。
【００３５】
（表示装置１の動作）
図３は、表示装置１の概略動作を説明するためのフローチャートである。まず、表示装置１のＡＣ電源がオンされる（ステップＳ１）。そして、制御部２３は、このＡＣ電源オンが表示装置１の初回起動であるか否かを判定する（ステップＳ２）。表示装置１の初回起動でないと判定されたときは（ステップＳ２でＮＯ）、テレビ移動判定部５がテレビ移動判定工程を実行する（ステップＳ３）。
【００３６】
図４は、図３に示すテレビ移動判定工程の詳細処理を示すフローチャートである。まず、過去に、表示装置１の外部機器接続端子４ａ・４ｂに外部接続機器が接続されていたか否かを判定する（ステップＳ７）。過去に外部接続機器が接続されていたと判定されたときは（ステップＳ７でＹＥＳ）、表示装置１の外部機器接続端子４ａ・４ｂに現在外部接続機器が全く接続されていないかを比較部２が判定する（ステップＳ８）。
【００３７】
外部機器接続端子４ａ・４ｂに現在外部接続機器が全く接続されていないと判定されたときは（ステップＳ８でＹＥＳ）、「外部機器が接続されていません。元の状態に戻しますか？」と記載されたメッセージを表示し、元の接続状態に戻すか否かをユーザに確認する（ステップＳ９）。ここで「はい」が選択されたときは、外部機器接続データベース８に従って、外部機器の接続を復元するためのガイダンスを表示する（ステップＳ１０）。
【００３８】
そして、外部機器の接続復元のためのガイダンスを表示したとき（ステップＳ１０）、過去に外部接続機器が接続されていなかったと判定されたとき（ステップＳ７でＮＯ）、外部機器接続端子４ａ・４ｂに現在外部接続機器が全く接続されていないと判定されなかったとき（ステップＳ８でＮＯ）、または、ステップＳ９で「いいえ」を選択したときは、ステップＳ４（図３）に移る。
【００３９】
図５は、図３に示すテレビ移動判定工程（Ｓ３）の他の詳細処理を示すフローチャートである。図４に示すフローチャートの替わりに図５に示すフローチャートに従って、表示装置１を動作させてもよい。この動作では、第一接続状態が第二接続状態と異なるときに接続復元のためのガイダンスを表示する。
【００４０】
まず、電源オンの後、外部機器接続端子４ａ・４ｂに外部接続機器が接続されているか否かを接続確認部６が判定する（ステップＳ１１）。外部機器接続端子４ａ・４ｂに外部接続機器が接続されていないと判定したときは（ステップＳ１１でＮＯ）、電源オフの前に外部機器接続端子４ａ・４ｂに外部接続機器が接続されていたか否かを接続確認部６が判定する（ステップＳ１２）。
【００４１】
電源オフの前に外部機器接続端子４ａ・４ｂに外部接続機器が接続されていたと判定したときは（ステップＳ１２でＹＥＳ）、第一接続状態（接続無し）が第二接続状態（接続有り）と異なるため、接続復元のためのガイダンスを接続復元部３が表示する（ステップＳ１３）。
【００４２】
外部機器接続端子４ａ・４ｂに外部接続機器が接続されていると判定したときは（ステップＳ１１でＹＥＳ）、電源オフの前に外部機器接続端子４ａ・４ｂに外部接続機器が接続されていたか否かを接続確認部６が判定する（ステップＳ１４）。電源オフの前に外部機器接続端子４ａ・４ｂに外部接続機器が接続されていなかったと判定したときは（ステップＳ１４でＮＯ）、第一接続状態（接続有り）が第二接続状態（接続無し）と異なるため、接続復元のためのガイダンスを接続復元部３が表示する（ステップＳ１３）。
【００４３】
電源オフの前に外部機器接続端子４ａ・４ｂに外部接続機器が接続されていたと判定したときは（ステップＳ１４でＹＥＳ）、表示装置１の電源をオンした第一タイミングの時刻データと、第一タイミングの前に電源をオフした第二タイミングの時刻データとを外部機器接続データベース８から時刻取得部７が読み出して比較する（ステップＳ１５）。
【００４４】
そして、第一タイミングが第二タイミングから所定の時間以上経過していないか否かを時刻取得部７が判定する（ステップＳ１６）。第一タイミングが第二タイミングから所定の時間以上経過していると判定したときは（ステップＳ１６でＮＯ）、引越し、部屋の模様替え等により表示機器１が移動されたと判断し、接続復元のためのガイダンスを接続復元部３が表示する（ステップＳ１３）。
【００４５】
第一タイミングが第二タイミングから所定の時間以上経過していないと判定したとき（ステップＳ１６でＹＥＳ）、電源オフの前に外部機器接続端子４ａ・４ｂに外部接続機器が接続されていないと判定したとき（ステップＳ１２でＮＯ）、及び、接続復元のためのガイダンスを接続復元部３が表示したとき（ステップＳ１３）は、ステップＳ４（図３）に進む。
【００４６】
図６は、図４に示すステップＳ９及びＳ１０、図５に示すステップＳ１３の詳細処理を示すフローチャートであり、テレビ移動判定部５に設けられた接続復元部３の具体動作を示している。
【００４７】
まず、ガイダンス表示において表示装置１が移動する前の外部機器の接続状態を復元するか否かをユーザが選択する（ステップＳ１７）。移動前の外部機器の接続状態を復元することを選択したときは（ステップＳ１７でＹＥＳ）、変数ｉ＝１に設定する（ステップＳ１９）。そして、入力ｉからデータベース登録している外部機器情報及び画像ファイルを、ユーザへのガイダンスのために表示装置１に表示する（ステップＳ２０）。次に、入力端子数よりもｉが大きいか否かを判定する（ステップＳ２１）。入力端子数よりもｉが大きくないと判定したときは（ステップＳ２１でＮＯ）、ｉに１を加算する（ステップＳ２２）。次に、ステップＳ２０に戻る。
【００４８】
移動前の外部機器の接続状態を復元しないことを選択したときは（ステップＳ１７でＮＯ）、デジタル接続更新部１１、アナログ接続更新部１２が、現状の外部機器との接続状態により外部機器接続データベース８を更新する（ステップＳ１８）。
【００４９】
外部機器接続データベース８を更新したとき（ステップＳ１８）、及び入力端子数よりもｉが大きいと判定したとき（ステップＳ２１でＹＥＳ）は、処理を終了する。
【００５０】
再び図３を参照すると、表示装置１の初回起動であると判定されたとき（ステップＳ２でＹＥＳ）、外部機器の接続復元のためのガイダンスを表示したとき（ステップＳ１０（図４））、過去に外部接続機器が接続されていなかったと判定されたとき（ステップＳ７でＮＯ（図４））、外部機器接続端子４ａ・４ｂに現在外部接続機器が全く接続されていないと判定されなかったとき（ステップＳ８でＮＯ（図４））、または、ステップＳ９で「いいえ」を選択したとき（図４）、電源オフの前に外部機器接続端子４ａ・４ｂに外部接続機器が接続されていないと判定したときは（ステップＳ１２でＮＯ（図５））、接続復元のためのガイダンスを接続復元部３が表示したとき（ステップＳ１３（図５））、第一タイミングが第二タイミングから所定の時間以上経過していないと判定したとき（ステップＳ１６でＹＥＳ（図５））は、ＡＣ電源がオフか否かを判定する（ステップＳ４）。ＡＣ電源がオフと判定したときは（ステップＳ４でＹＥＳ）処理を終了する。
【００５１】
ＡＣ電源がオンと判定したときは（ステップＳ４でＮＯ）、時刻記録部１０は現在の時刻を外部機器接続データベース８に記録する（ステップＳ５）。次に、接続検知部９は、外部機器接続端子４ａ・４ｂへの外部接続機器の接続状態を検知して外部機器接続データベース８に記録する（ステップＳ６）。
【００５２】
図７は、図３に示す接続検知工程（ステップＳ６）の詳細処理を示すフローチャートである。まず、接続検知部９は、ホットプラグ検出を利用してポーリングを開始する（ステップＳ２２）。そして、外部接続機器のケーブルが外部機器接続端子４ａ・４ｂに挿入されたか否かを接続検知部９は判定する（ステップＳ２３）。ケーブルが外部機器接続端子４ａ・４ｂに挿入されていないと判定されたときは（ステップＳ２３でＮＯ）、ケーブルが外部機器接続端子４ａ・４ｂから抜かれたか否かを接続検知部９は判定する（ステップＳ２４）。
【００５３】
ケーブルが外部機器接続端子４ａ・４ｂから抜かれたと判定したとき（ステップＳ２４でＹＥＳ）、ケーブルが外部機器接続端子４ａ・４ｂに挿入されたと判定したとき（ステップＳ２３でＹＥＳ）は、外部機器接続端子がデジタル端子であるか否かを判定する（ステップＳ２５）。外部機器接続端子がデジタル端子であると判定されたときは（ステップＳ２５でＹＥＳ）、デジタル接続更新部１１がデジタル接続更新を実行する（ステップＳ２６）。外部機器接続端子がアナログ端子であると判定されたときは（ステップＳ２５でＮＯ）、アナログ接続更新部１２がアナログ接続更新を実行する（ステップＳ２７）。デジタル接続更新部１１がデジタル接続更新を実行したとき（ステップＳ２６）、アナログ接続更新部１２がアナログ接続更新を実行したとき（ステップＳ２７）、ケーブルが外部機器接続端子４ａ・４ｂから抜かれていないと判定したとき（ステップＳ２４でＮＯ）は、ステップＳ２３に戻る。
【００５４】
図８は、図７に示すデジタル接続更新処理（ステップＳ２６）の詳細処理を示すフローチャートである。まず、デジタルケーブルがデジタル端子１６ａに接続されたか否かを判定する（ステップＳ２８）。デジタルケーブルがデジタル端子に１６ａに接続されていないと判断されたときは（ステップＳ２８でＮＯ）、デジタル接続更新部１１は、対応する入力番号の外部接続機器情報を外部機器接続データベース８から削除する（ステップＳ３１）。
【００５５】
デジタルケーブルがデジタル端子１６ａに接続されていると判断されたときは（ステップＳ２８でＹＥＳ）、デジタル端子１６ａに接続されている外部接続機器からＣＥＣパケットにより機器情報を取得する（ステップＳ２９）。そして、デジタル接続更新部１１は、対応する入力番号の外部接続機器情報により外部機器接続データベース８を更新する（ステップＳ３０）。
【００５６】
外部機器接続データベース８を更新したとき（ステップＳ３０）、外部接続機器情報を外部機器接続データベース８から削除したとき（ステップＳ３１）は、変更があった入力のすべてを更新したか否かを判定する（ステップＳ３２）。変更があった入力のすべてを更新していないと判定したときは（ステップＳ３２でＮＯ）、ステップＳ２８に戻る。変更があった入力のすべてを更新したと判定したときは（ステップＳ３２でＹＥＳ）、ステップＳ２３（図７）に戻る。
【００５７】
再び図７を参照すると、外部機器接続端子がデジタル端子でないと判定されたときは（ステップＳ２５でＮＯ）、アナログ接続更新部１２は、アナログ接続更新処理を実行する（ステップＳ２７）。
【００５８】
図９は、図７に示すアナログ接続更新処理（ステップＳ２７）の詳細処理を示すフローチャートである。まず、アナログ入力端子１４ａの外部機器接続端子４ａにアナログケーブルが挿入されたか否かをアナログ接続更新部１２が判定する（ステップＳ３３）。外部機器接続端子４ａにアナログケーブルが挿入されていないと判定したときは（ステップＳ３３でＮＯ）、アナログケーブルが挿入されていない入力番号に対応する外部機器接続データベース８から外部機器情報を削除する（ステップＳ３６）。
【００５９】
外部機器接続端子４ａにアナログケーブルが挿入されていると判定したときは（ステップＳ３３でＹＥＳ）、挿入されたアナログケーブルに対応する外部接続機器の情報をユーザが手動で入力する（ステップＳ３４）。次に、アナログ接続更新部１２は、対応する入力番号の外部機器接続データベース８を更新する（ステップＳ３５）。
【００６０】
対応する入力番号の外部機器接続データベース８を更新したとき（ステップＳ３５）、外部機器接続データベース８から外部機器情報を削除したとき（ステップＳ３６）は、変更があった入力番号のデータが全て更新されたか否かを判定する（ステップＳ３７）。
【００６１】
変更があった入力番号のデータが全て更新されていないと判定したときは（ステップＳ３７でＮＯ）、ステップＳ３３へ戻る。変更があった入力番号のデータが全て更新されていると判断したとき（ステップＳ３７でＹＥＳ）、ステップＳ２３（図７）に戻る。ケーブルが外部機器接続端子４ａ・４ｂから抜かれていないと判定したときは（ステップＳ２４でＮＯ）、ステップＳ２３に戻る。
【００６２】
図１０は、表示装置１に設けられた外部機器接続データベース８に記録されたデータベース情報２４を説明するための図である。データベース情報２４の各入力番号の欄は、メーカの欄、機種名の欄、種類の欄、本体色の欄、接続形態の欄、接続端子図の欄、及び備考の欄に関連付けられている。
【００６３】
例えば、データベース情報２４の入力番号１のメーカの欄には「Ａ社」が記録され、機種名の欄には「ＢＤ−ＨＤＷ＊＊」が記録され、接続形態の欄には「デジタル」が記録され、接続端子図の欄には「ＩＮＰＵＴ１．ｊｐｇ」が記録されている。入力番号４のメーカの欄には「Ｂ社」が、種類の欄には「ＶＩＤＥＯ」が、本体色の欄には「ＢＬＡＣＫ」が、接続形態の欄には「ＣＯＭＰＯＳＩＴＥ」が、接続端子図の欄には「ＩＮＰＵＴ４．ｊｐｇ」が記録されている。
【００６４】
入力番号５のメーカの欄には「Ｃ社」が、機種名の欄には「ＮＶ−ＨＶ＊＊＊」が、種類の欄には「ＶＩＤＥＯ」が、本体色の欄には「ＳＩＬＶＥＲ」が、接続形態の欄には「Ｓ−Ｔｅｒｍｉｎａｌ」が、接続端子図の欄には「ＩＮＰＵＴ５．ｊｐｇ」が記録されている。
【００６５】
入力番号８のメーカの欄には「Ｄ社」が、種類の欄には「ＰＣ」が、本体色の欄には「ＢＬＡＣＫ」が、接続形態の欄には「Ｄ−Ｓｕｂ」が、接続端子図の欄には「ＩＮＰＵＴ８．ｊｐｇ」が記録されている。
【００６６】
なお、「ＩＮＰＵＴ＊．ｊｐｇ」（１≦＊≦８）は、取扱説明書の図面のように接続端子が分かる図面データを示している。
【００６７】
（画面遷移の一例）
図１１〜図１３は、表示装置１の起動時において接続状態が変更されたが、元の接続状態に戻す場合の画面遷移の一例を説明するためのフローチャートであり、接続復元のためのガイダンス表示（ステップＳ１３（図５））の具体例の一例である。
【００６８】
図１１を参照すると、まず、「接続機器が変更されました。接続状態を元に戻しますか？新しい状態に更新しますか？」というメッセージを表示装置１に表示する（ステップＳ３８）。「更新する」を選択したときは、ステップＳ４９（図１４）に進む。
【００６９】
「元に戻す」を選択したときは、データベース情報２４が表示され、「この接続状態を復元します」というメッセージが表示装置１に表示される（ステップＳ３９）。そして、入力１に対応するデータベース情報２４ａ、入力端子図２５ａ、及び「この入力１にこの外部機器を接続して電源をオンしてください」というメッセージを表示する（ステップＳ４０）。
【００７０】
ユーザが外部機器の接続作業を行い、その結果、接続が間違っているときは、「入力１接続機器を間違えている可能性があります。もう一度、接続をやり直して下さい」というメッセージを表示し（ステップＳ４２）、ステップＳ４０に戻る。
【００７１】
ユーザの接続作業結果が正しい場合は、「入力１  入力１は正しく接続されたことが確認できました。次の入力端子の設定に移ります。」というメッセージを表示する（ステップＳ４１）。
【００７２】
図１２を参照すると、次に、入力４を示すデータベース情報２４ｂ、入力端子図２５ａ、及び「メーカや機種名や本体色に注意して表示されている機器を入力４に接続してください」というメッセージを表示する（ステップＳ４３）。そして、「入力４  正しく接続できましたら、「次へ」を、もう一度確認する場合は、「戻る」を選択してください。」というメッセージを表示する（ステップＳ４４）。
【００７３】
「戻る」を選択された場合は、ステップＳ４３に戻る。「次へ」を選択され、ホットプラグの検出ができなかったときは、「入力４  接続機器の確認ができませんでした。もう一度、接続を確認してください。」というメッセージを表示し（ステップＳ４５）、ステップＳ４３に戻る。「次へ」を選択され、ホットプラグの検出ができたときは、「入力４  接続機器が確認できました。次の入力端子の確認に移ります。」というメッセージを表示する（ステップＳ４６）。そして、すべての入力が完了したときは、データベース情報２４及び「全ての入力の変更が完了しました」というメッセージを表示し（ステップＳ４８）、処理を終了する。
【００７４】
図１４〜図１６は、表示装置起動時において接続状態が変更され、新しい接続状態に変更する場合の画面遷移の一例を説明するためのフローチャートである。
【００７５】
まず、ステップＳ３８において、「更新する」を選択したときは、データベース情報２４ｃ、及び「登録情報を更新しますか？」というメッセージが表示される（ステップＳ４９）。「はい」を選択すると、データベース情報２４ｄ及び「登録情報を更新しました」というメッセージが表示される（ステップＳ５０）。「いいえ」を選択すると、データベース情報２４ａ及び「登録情報は更新されませんでした」というメッセージが表示される（ステップＳ５１）。
【００７６】
データベース情報２４ｄ及び「登録情報を更新しました」というメッセージが表示されたとき（ステップＳ５０）、及びデータベース情報２４ａ及び「登録情報は更新されませんでした」というメッセージが表示されたとき（ステップＳ５１）は、データベース情報２４ｂ及び「登録情報を更新しますか？」というメッセージが表示される（ステップＳ５２）。
【００７７】
「はい」を選択したときは、各メーカ名の表示及び「メーカ名を選んでください（必須）」というメッセージが表示される（ステップＳ５３）。メーカ名を選択すると、ソフトウェアキーボードを表す図形及び「機種名を入力してください（任意）」というメッセージが表示される（ステップＳ５４）。次に、各機種分類名の表示及び「機種分類を選んでください」というメッセージが表示される（ステップＳ５５）。機種分類を選択すると、本体の色の名称の表示及び「本体の色を入力してください（任意）」というメッセージが表示される（ステップＳ５６）。
【００７８】
次に、データベース情報２４ｅ及び「登録情報を更新しますか？」というメッセージが表示される（ステップＳ５７）。「はい」を選択すると、「登録情報を更新しました」というメッセージが表示される（ステップＳ５８）。「いいえ」を選択すると、「登録情報は更新されませんでした」というメッセージが表示される（ステップＳ５９）。
【００７９】
「登録情報を更新しました」というメッセージが表示されたとき（ステップＳ５８）、「登録情報は更新されませんでした」というメッセージが表示されたときは（ステップＳ５９）、入力８に対応するデータベース情報２４ｆ及び「登録情報を更新しますか？」というメッセージが表示される（ステップＳ６０）。「いいえ」を選択すると、データベース情報２４ｇ及び「全ての入力の変更が完了しました」というメッセージが表示される。その後処理が終了する。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８１】
本発明は、外部機器接続端子と外部機器との接続を確認するための外部機器接続状況確認装置、及び表示装置に利用することができる。
【符号の説明】
【００８２】
１  表示装置
２  比較部（比較手段）
３  接続復元部（情報提示手段）
４ａ、４ｂ  外部機器接続端子
５  テレビ移動判定部（外部機器接続状況確認装置）
６  接続確認部（比較手段）
７  時刻取得部（比較手段）
８  外部機器接続データベース（外部機器接続状況確認装置）
９  接続検知部（外部機器接続状況確認装置）
１０  時刻記録部（外部機器接続状況確認装置）
１１  デジタル接続更新部
１２  アナログ接続更新部
１３ａ、１３ｂ  外部接続機器
１４ａ  アナログ入力端子
１４ｂ  デジタル入力端子
１５ａ  Ｄ端子
１５ｂ  コンポジット端子
１５ｃ  Ｓ端子
１６ａ  デジタル端子
１６ｂ  ＵＳＢ端子
１７  ＡＶスイッチ
１８  デジタルスイッチ
１９  ＵＳＢハブ
２０  ＤＤＲ
２１  リモコン受光部
２２  リモコン
２３  制御部（外部機器接続状況確認装置）
２４  データベース情報
２５ａ  入力端子図
【図１】
2013118600.tif 000003
【図２】
2013118600.tif 000004
【図３】
2013118600.tif 000005
【図４】
2013118600.tif 000006
【図５】
2013118600.tif 000007
【図６】
2013118600.tif 000008
【図７】
2013118600.tif 000009
【図８】
2013118600.tif 000010
【図９】
2013118600.tif 000011
【図１０】
2013118600.tif 000012
【図１１】
2013118600.tif 000013
【図１２】
2013118600.tif 000014
【図１３】
2013118600.tif 000015
【図１４】
2013118600.tif 000016
【図１５】
2013118600.tif 000017
【図１６】
2013118600.tif 000018